(57)【要約】【課題】印刷元データの表示態様を実際の印刷結果と簡易に一致させることができる印刷制御装置および印刷制御プログラムを提供する。【解決手段】ＰＣでは、プリンタから本体情報が取得される（Ｓ５）。ダイカットテープである場合（Ｓ９：ＹＥＳ）、縦横比反映処理、色反映処理、縮尺反映処理、配置反映処理が順に実行される（Ｓ１１〜Ｓ１７）。縦横比反映処理では、セルの縦横比がテープの縦横比に合わせて変更される。色反映処理では、キャラクタの文字色および背景色がプリンタの印刷色およびテープ色に合わせて変更される。縮尺反映処理では、セルのサイズがプリンタのテープサイズに合わせて変更される。配置反映処理では、キャラクタの配置およびサイズがプリンタで印刷される位置およびサイズに合わせて変更される。【選択図】図４
2014026505.tif 000002
【特許請求の範囲】
【請求項１】
印刷媒体に画像を印刷可能な印刷装置に接続可能であり、キャラクタが入力された格子状のセルを前記印刷装置に印刷させる印刷制御装置であって、
前記セルを含むファイルを記憶するファイル記憶手段と、
前記印刷装置で実行される印刷態様を示す本体情報を、前記印刷装置から取得する本体情報取得手段と、
前記本体情報取得手段によって前記本体情報が取得された場合、前記本体情報が示す前記印刷態様に応じて、前記ファイル記憶手段に記憶されている前記ファイルに含まれる前記セルの表示態様を変更する表示態様変更手段と
を備えたことを特徴とする印刷制御装置。
【請求項２】
前記本体情報は、前記印刷装置で印刷媒体に印刷される色である印刷色を示し、
前記表示態様変更手段は、前記本体情報が示す前記印刷色に基づいて、前記セルに入力されている前記キャラクタの色を変更することを特徴とする請求項１に記載の印刷制御装置。
【請求項３】
前記本体情報は、前記印刷装置で印刷される印刷媒体の色である媒体色を示し、
前記表示態様変更手段は、前記本体情報が示す前記媒体色に基づいて、前記セルの背景色を変更することを特徴とする請求項１または２に記載の印刷制御装置。
【請求項４】
前記本体情報は、前記印刷装置で印刷される印刷媒体の大きさである媒体サイズを示し、
前記表示態様変更手段は、前記本体情報が示す前記媒体サイズに基づいて、前記セルの表示サイズを変更することを特徴とする請求項１から３のいずれかに記載の印刷制御装置。
【請求項５】
前記表示態様変更手段は、前記セルの表示サイズの変更率に基づいて、前記セルに入力されている前記キャラクタの表示サイズを変更することを特徴とする請求項４に記載の印刷制御装置。
【請求項６】
印刷媒体に画像を印刷可能な印刷装置に接続され、且つ、キャラクタが入力された格子状のセルを含むファイルを記憶するファイル記憶手段を備え、前記印刷装置に前記セルを印刷させる印刷制御装置のコンピュータに、
前記印刷装置で実行される印刷態様を示す本体情報を、前記印刷装置から取得する本体情報取得ステップと、
前記本体情報取得ステップによって前記本体情報が取得された場合、前記本体情報が示す前記印刷態様に応じて、前記ファイル記憶手段に記憶されている前記ファイルに含まれる前記セルの表示態様を変更する表示態様変更ステップと
を実行させる指示を含む印刷制御プログラム。
【発明の詳細な説明】
【技術分野】
【０００１】
本発明は、印刷装置に画像印刷を実行させる印刷制御装置および印刷制御プログラムに関する。
【背景技術】
【０００２】
従来、ユーザが印刷装置で印刷するキャラクタ（文字、数字、記号、装飾画像等）を編集可能な装置が知られている（例えば、特許文献１参照）。特許文献１では、印刷装置でラベルに印刷するキャラクタのレイアウトを、ユーザがＰＣのエディタ上で編集する技術が開示されている。また、このようなエディタの中には、例えば格子状のマス目（セル）にデータが入力された表計算ソフトのファイルを読み込んで、印刷装置で複数のラベルにセルのデータを連続印刷するものが知られている。
【先行技術文献】
【特許文献】
【０００３】
【特許文献１】特開２００５−２８４６３１号公報
【発明の概要】
【発明が解決しようとする課題】
【０００４】
表計算ソフトでは、セルに入力されたデータの文字色、背景色、表示サイズ等を、ユーザが簡単に設定できる。しかしながら、例えばラベルの印刷時に使用される印刷装置では、ラベルに合った印刷結果が得られるように、印刷に使用されるテープ色、テープ幅、印刷色等が決まっている。そのため、表計算ソフトで作成されたファイルに基づいてラベルを印刷した場合、印刷装置で得られるラベルの印刷結果（テープ色、テープ幅、印刷色等）は、セルに設定されている情報（文字色、背景色、表示サイズ等）とは異なる。
【０００５】
つまり、従来では、表計算ソフトで作成されたファイルを印刷装置で直接印刷した場合、印刷元データの表示態様（具体的には、セルの見た目）と実際の印刷結果とが一致しなかった。セルの見た目と実際の印刷結果とを一致させたい場合、ユーザは表計算ソフトで作成されたファイルをテキストファイルに出力し、その出力したテキストファイルに基づいて実際の印刷結果とセルの見た目が一致するラベルデータを生成しなければならず、ユーザの操作負担が大きかった。
【０００６】
本発明の目的は、印刷元データの表示態様を実際の印刷結果と簡易に一致させることができる印刷制御装置および印刷制御プログラムを提供することである。
【課題を解決するための手段】
【０００７】
本発明の第一態様に係る印刷制御装置は、印刷媒体に画像を印刷可能な印刷装置に接続可能であり、キャラクタが入力された格子状のセルを前記印刷装置に印刷させる印刷制御装置であって、前記セルを含むファイルを記憶するファイル記憶手段と、前記印刷装置で実行される印刷態様を示す本体情報を、前記印刷装置から取得する本体情報取得手段と、前記本体情報取得手段によって前記本体情報が取得された場合、前記本体情報が示す前記印刷態様に応じて、前記ファイル記憶手段に記憶されている前記ファイルに含まれる前記セルの表示態様を変更する表示態様変更手段とを備える。
【０００８】
本発明の第二態様に係る印刷制御プログラムは、印刷媒体に画像を印刷可能な印刷装置に接続され、且つ、キャラクタが入力された格子状のセルを含むファイルを記憶するファイル記憶手段を備え、前記印刷装置に前記セルを印刷させる印刷制御装置のコンピュータに、前記印刷装置で実行される印刷態様を示す本体情報を、前記印刷装置から取得する本体情報取得ステップと、前記本体情報取得ステップによって前記本体情報が取得された場合、前記本体情報が示す前記印刷態様に応じて、前記ファイル記憶手段に記憶されている前記ファイルに含まれる前記セルの表示態様を変更する表示態様変更ステップとを実行させる指示を含む。
【０００９】
本発明の第一、第二態様によれば、印刷制御装置では、印刷装置から取得した本体情報が示す印刷態様に応じて、印刷制御装置に記憶されているファイルに含まれるセルの表示態様が変更される。したがって、印刷元データであるセルの表示態様を、実際の印刷結果と簡易に一致させることができる。
【図面の簡単な説明】
【００１０】
【図１】印刷システム１の全体構成図である。
【図２】印刷システム１の電気的構成を示すブロック図である。
【図３】表計算ソフトのファイル１００を例示する図である。
【図４】ＰＣ３のドライバ処理のフローチャートである。
【図５】縦横比反映処理のフローチャートである。
【図６】縦横比が反映されたファイル１００を例示する図である。
【図７】色反映処理のフローチャートである。
【図８】縮尺反映処理のフローチャートである。
【図９】縮尺が反映されたファイル１００を例示する図である。
【図１０】配置反映処理のフローチャートである。
【図１１】配置が反映されたファイル１００を例示する図である。
【発明を実施するための形態】
【００１１】
以下、本発明の実施形態について、図面を参照して説明する。参照する図面は、本発明が採用し得る技術的特徴を説明するために用いられるものである。図面に記載されている装置の構成、各種処理のフローチャート等は、それのみに限定する趣旨ではなく、単なる説明例である。
【００１２】
図１を参照して、本実施形態に係る印刷システム１について説明する。印刷システム１では、プリンタ２およびパーソナルコンピュータ（ＰＣ）３が、通信ケーブル８を介して接続可能である。プリンタ２は、長尺状の印刷媒体であるテープにキャラクタ（文字、記号、図形など）を印刷して、貼り付け可能なラベルを作成する小型のラベルプリンタである。
【００１３】
図２を参照して、プリンタ２およびＰＣ３の電気的構成について説明する。プリンタ２は、プリンタ２の制御を行うＣＰＵ２１を備えている。ＣＰＵ２１は、ＲＯＭ２２、フラッシュメモリ２３、ＲＡＭ２４、ＣＧＲＯＭ２５、外部接続インタフェイス（Ｉ／Ｆ）２６、入力部２７、表示部２８、および駆動回路４１〜４３に接続されている。ＲＯＭ２２には、ＣＰＵ２１が実行する各種プログラムが記憶される。フラッシュメモリ２３には、種々の設定用データが記憶される。ＲＡＭ２４には、種々の一時データが記憶される。ＣＧＲＯＭ２５には、種々のキャラクタ（文字、数字、図形など）をテープに印刷するための印刷用のドットパターンデータが記憶されている。外部接続Ｉ／Ｆ２６は、外部機器（例えば、ＰＣ３）と接続するためのインタフェイスである。
【００１４】
駆動回路４１は、テープに印刷を行うサーマルヘッド４４を駆動する。駆動回路４２は、テープを搬送するプラテンローラ（図示外）を動作させるテープ送りモータ４５を駆動する。駆動回路４３は、印刷済みのテープを切断するカッター（図示外）を動作させるカッターモータ４６を駆動する。ＣＰＵ２１は、これらの駆動回路４１〜４３を制御することで、搬送されるテープに印刷を行ったのち、印刷済みのテープを切断してラベルを作成する。
【００１５】
本実施形態では、プリンタ２の印刷態様に関する情報（本体情報）が、フラッシュメモリ２３に記憶されている。本体情報は、テープ色、印刷色、テープサイズ、テープ種別等を含む。テープ色は、プリンタ２に装着されているテープの色である。印刷色は、プリンタ２に装着されているテープが、サーマルヘッド４４の加熱によって発色する色である。テープ種別は、プリンタ２に装着されているテープの種別（ノーマルテープ、ダイカットテープ等）を示す。テープサイズは、プリンタ２に装着されているテープのテープ幅（テープの切断方向の長さ）を示す。ただし、ダイカットテープが装着されている場合、テープサイズはテープ幅およびピッチ長（テープの延びる方向の長さ）の両方を示す。テープ色は、プリンタ２に装着されているテープの色である。
【００１６】
ＰＣ３は、ＰＣ３の制御を行うＣＰＵ３１を備えている。ＣＰＵ３１は、ハードディスクドライブ（ＨＤＤ）３２、ＲＡＭ３３、外部接続インタフェイス（Ｉ／Ｆ）３４、入力回路３５、および出力回路３６と接続している。ＨＤＤ３２には、ＣＰＵ３１が実行する各種プログラムや、各種データが記憶されている。具体的には、ＨＤＤ３２には、ＯＳ（Ｏｐｅｒａｔｉｎｇ Ｓｙｓｔｅｍ）、表計算ソフト、プリンタドライバなどが記憶されている。表計算ソフトは、格子状のマス目（セル）にデータを入れることで表のファイルを作成することができる。表計算ソフトによって作成されたファイルも、ＨＤＤ３２に記憶される。
【００１７】
ＲＡＭ３３は、種々の一時データを記憶する。外部接続Ｉ／Ｆ３４は、外部機器（例えば、プリンタ２）と接続するためのインタフェイスである。入力回路３５は、ＣＰＵ３１へ入力部３７（例えば、マウス、キーボード、タッチパネルなど）からの指示を送る制御を行う。出力回路３６は、ＣＰＵ３１からの指示に応じてディスプレイ３８に画像を表示する制御を行う。
【００１８】
本実施形態では、ユーザがＰＣ３で表計算ソフトを用いて、複数のセルにキャラクタ（文字、数字、記号、装飾画像等）を入力して、ラベル印刷用のファイルを作成する。図３に示す例では、テキスト「１年○組  ＡＢＣ」が入力された４つのセル（いずれも縦１０ピクセル、横５０ピクセル）を含むファイル１００が作成され、ＨＤＤ３２に保存されている。
【００１９】
ＰＣ３でファイル１００の印刷指示が入力されると、プリンタドライバが起動される。プリンタドライバは、４つのセルに入力されているテキスト「１年○組  ＡＢＣ」を印刷するための印刷コマンドを、プリンタ２に送信する。プリンタ２では、受信した印刷コマンドに基づいて、４つのセルに入力されているテキスト「１年○組  ＡＢＣ」がテープに印刷されて、一枚のラベルが作成される。
【００２０】
図４〜図１１を参照して、印刷システム１で実行される処理について説明する。
【００２１】
図４を参照して、ＰＣ３で実行されるドライバ処理について説明する。ドライバ処理は、印刷指示の入力時に起動されたプリンタドライバに基づいて、ＣＰＵ３１によって実行される。以下の説明では、ユーザが表計算ソフトで作成したファイル１００（図３参照）を印刷する場合を例示する。詳細には、ファイル１００の印刷時に実行される処理のうち、プリンタ２の印刷態様をファイル１００（詳細にはセル）の表示態様に反映する処理を、図４に示すフローチャートに基づいて説明する。
【００２２】
図４に示すように、ドライバ処理では、プリンタ２の本体情報をセルに反映するか否かが判断される（Ｓ１）。例えば、ステップＳ１では、プリンタ２の本体情報をセルに反映するか否かを選択するための画面が、ディスプレイ３８に表示される。ユーザがこの画面上で本体情報をセルに反映する指示を入力した場合（Ｓ１：ＹＥＳ）、プリンタ２から本体情報を取得可能であるか否かが判断される（Ｓ３）。例えば、ＰＣ３にプリンタ２が接続されていない場合や、プリンタ２に本体情報が記憶されていない場合、本体情報を取得できないと判断される（Ｓ３：ＮＯ）。この場合、ファイル１００に含まれるセルの表示態様を変更することなく、ドライバ処理が終了される。本体情報をセルに反映しない場合も（Ｓ１：ＮＯ）、ドライバ処理が終了される。
【００２３】
本体情報を取得可能である場合（Ｓ３：ＹＥＳ）、フラッシュメモリ２３に記憶されている本体情報が、通信ケーブル８を介して取得される（Ｓ５）。ＨＤＤ３２に記憶されているファイル１００から、セル情報が取得される（Ｓ７）。セル情報は、ファイル１００に含まれているセルの情報（縦ピクセル数、横ピクセル数、文字色、背景色等）である。取得された本体情報に基づいて、ダイカットテープであるか否かが判断される（Ｓ９）。
【００２４】
ダイカットテープである場合（Ｓ９：ＹＥＳ）、後述する縦横比反映処理、色反映処理、縮尺反映処理、配置反映処理が順に実行される（Ｓ１１〜Ｓ１７）。縦横比反映処理では、ファイル１００に含まれるセルの縦横比が、プリンタ２で使用されるテープの縦横比に合わせて変更される。色反映処理では、セルに入力されているキャラクタの文字色および背景色が、プリンタ２で使用される印刷色およびテープ色に合わせて変更される。縮尺反映処理では、ファイル１００に含まれるセルのサイズが、プリンタ２で使用されるテープサイズに合わせて拡大または縮小される。配置反映処理では、セルに入力されているキャラクタの配置およびサイズが、プリンタ２でキャラクタが印刷される位置およびサイズに合わせて変更される。ステップＳ１７の実行後、ドライバ処理が終了される。
【００２５】
ダイカットテープでない場合（Ｓ９：ＮＯ）、プリンタ２にノーマルテープが装着されている。この場合、ステップＳ１３と同様に色反映処理が実行される（Ｓ１９）。次いで、プリンタ２で印刷される縮尺をセルに反映するか否かが判断される（Ｓ２１）。例えば、ユーザが縮尺を反映する指示を入力した場合（Ｓ２１：ＹＥＳ）、ステップＳ１５と同様に縮尺反映処理が実行される（Ｓ２３）。ステップＳ２３の実行後、プリンタ２で印刷される配置をセルに反映するか否かが判断される（Ｓ２５）。例えば、ユーザが配置を反映する指示を入力した場合（Ｓ２５：ＹＥＳ）、ステップＳ１７と同様に配置反映処理が実行される（Ｓ２７）。ステップＳ２７の実行後、ドライバ処理が終了される。縮尺を反映しない場合（Ｓ２１：ＮＯ）、または、配置を反映しない場合（Ｓ２５：ＮＯ）、ドライバ処理が終了される。
【００２６】
図５に示すように、縦横比反映処理では、ステップＳ５で取得された本体情報（テープ幅およびピッチ長）に基づいて、ラベルの縦横比が算出される（Ｓ４１）。ステップＳ７で取得されたセル情報（縦ピクセル数および横ピクセル数）に基づいて、セルの縦横比が算出される（Ｓ４３）。ラベルの縦横の長い方（長辺）に対応するセルのピクセル数を基準として、ラベルの縦横の短い方（短辺）に対応するセルのピクセル数の変更値が算出される（Ｓ４５）。セルの短辺長さが、算出された変更値に更新される（Ｓ４７）。その後、処理はドライバ処理（図４）に戻る。
【００２７】
例えば、テープ色「黄」、印刷色「黒」、テープサイズ「２０ｍｍ（テープ幅）×５０ｍｍ（ピッチ）」、テープ種別「ダイカットテープ」を含む本体情報が、プリンタ２から取得された場合を想定する（Ｓ５）。この場合、ダイカットテープであると判断されるため（Ｓ９：ＹＥＳ）、ラベルの縦横比「２０：５０」およびセルの縦横比「１０：５０」が取得される（Ｓ４１、Ｓ４３）。このラベルの縦横比は、ラベルが横長であることを示すため、ラベルのピッチ（長辺）に対応するセルの横ピクセル数「５０」が、変更値算出の基準となる。つまり、横ピクセル数「５０」を固定したセルが縦横比「２０：５０」となるように、セルの短辺長さ（縦ピクセル数）の変更値として「２０」が算出される。最後に、セルの縦ピクセル数が変更値「２０」に更新される（Ｓ４７）。その結果、図６に示すように、ファイル１００に含まれるセルは、プリンタ２で印刷されるラベルと同じ縦横比「２０：５０」で表示される。
【００２８】
図７に示すように、色反映処理では、ステップＳ５で取得された本体情報に基づいて、印刷色がセルで使用可能な色であるか否かが判断される（Ｓ６１）。印刷色が使用可能な色である場合（Ｓ６１：ＹＥＳ）、セルの文字色が本体情報の示す印刷色に更新される（Ｓ６３）。これにより、ファイル１００に含まれるセルに入力されているキャラクタは、プリンタ２で使用される印刷色（例えば「黒」）で表示される。
【００２９】
一方、印刷色が使用可能な色でない場合（Ｓ６１：ＮＯ）、印刷色のサンプルを取得するか否かが判断される（Ｓ６５）。例えば、ユーザが印刷色のサンプルを取得する指示を入力した場合（Ｓ６５：ＹＥＳ）、印刷色のサンプルデータが通信ケーブル８を介してプリンタ２から取得されて、取得されたデータが印刷色サンプルとして表示される（Ｓ６７）。ユーザは印刷色サンプル１４０（図１１参照）を参照することで、プリンタ２で実際にキャラクタが印刷される色を認識できる。
【００３０】
ステップＳ６３またはステップＳ６７の実行後、あるいは、印刷色のサンプルを取得しない場合（Ｓ６５：ＮＯ）、ステップＳ５で取得された本体情報に基づいて、テープ色がセルで使用可能な色であるか否かが判断される（Ｓ６９）。テープ色が使用可能な色である場合（Ｓ６９：ＹＥＳ）、セルの背景色が本体情報の示すテープ色に更新される（Ｓ７１）。これにより、ファイル１００に含まれるセルの背景色は、プリンタ２で使用されるテープ色（例えば「黄」）で表示される。
【００３１】
一方、テープ色が使用可能な色でない場合（Ｓ６９：ＮＯ）、テープ色のサンプルを取得するか否かが判断される（Ｓ７３）。例えば、ユーザがテープ色のサンプルを取得する指示を入力した場合（Ｓ７３：ＹＥＳ）、テープ色のサンプルデータが通信ケーブル８を介してプリンタ２から取得されて、取得されたデータがテープ色サンプルとして表示される（Ｓ７５）。ユーザはテープ色サンプル１５０（図１１参照）を参照することで、プリンタ２で実際に使用されるテープ色を認識できる。ステップＳ７１またはステップＳ７５の実行後、あるいは、テープ色のサンプルを取得しない場合（Ｓ７３：ＮＯ）、処理はドライバ処理（図４）に戻る。
【００３２】
図８に示すように、縮尺反映処理では、ファイル１００に含まれるセルについて、１ｍｍ当たりのピクセル数が定義されているか否かが判断される（Ｓ８１）。１ｍｍ当たりのピクセル数が定義されている場合（Ｓ８１：ＹＥＳ）、その定義されているピクセル数が取得される（Ｓ８３）。次いで、ステップＳ５で取得されたテープ幅に合わせて、ステップＳ７で取得されたセルの縦ピクセル数がミリメートル単位に換算される（Ｓ８５）。ステップＳ８５でセルの縦サイズが拡大された拡大率で、セルの横サイズが拡大される（Ｓ８７）。その後、処理はドライバ処理（図４）に戻る。
【００３３】
例えば、テープ色「黄」、印刷色「赤」、テープサイズ「１０ｍｍ（テープ幅）」、テープ種別「ノーマルテープ」を含む本体情報が、プリンタ２から取得された場合を想定する（Ｓ５）。この場合、セルに１ｍｍ当たりのピクセル数として「４」が取得されると（Ｓ８１：ＹＥＳ、Ｓ８３）、取得されたピクセル数「４」とテープ幅「１０」を乗算したピクセル数である「４０」に、セルの縦サイズが拡大される（Ｓ８５）。サイズ変更前のセルは縦ピクセル数が「１０」であるから（図３参照）、ステップＳ８５におけるセルの縦サイズの拡大率は「４倍」である。セルの横ピクセル数（図３の例では、５０ピクセル）も「４倍」されて、セルの横サイズが２００ピクセルに拡大される（Ｓ８７）。その結果、図９に示すように、ファイル１００に含まれるセルは、プリンタ２で印刷されるラベルと同じ縮尺「４倍」で表示される。
【００３４】
図１０に示すように、配置反映処理では、縮尺反映処理（図８）で算出されたセルの拡大率が取得される（Ｓ１０１）。セルに入力されているキャラクタが、取得された拡大率に合わせて拡大される（Ｓ１０３）。拡大されたキャラクタが、セルのセンターに配置されるように位置修正が行われる（Ｓ１０５）。その後、処理はドライバ処理（図４）に戻る。
【００３５】
例えば、図９に示すファイル１００について、さらに配置反映処理（図１０）が実行された場合を想定する。この場合、セルの拡大率は「４倍」であるから、図１１に示すように、セルに入力されているテキスト「１年○組  ＡＢＣ」もプリンタ２で印刷されるラベルと同じ縮尺「４倍」で拡大される。このとき、拡大されたテキストでは、セルのセンターに配置されるように、キャラクタの位置が自動調整される。
【００３６】
以上説明したように、本実施形態の印刷システム１によれば、ＰＣ３では、プリンタ２から取得した本体情報が示す印刷態様に応じて、ＰＣ３に記憶されているファイル１００に含まれるセルの表示態様が変更される。したがって、印刷元データであるセルの表示態様を、実際の印刷結果と簡易に一致させることができる。
【００３７】
ＰＣ３では、本体情報が示す印刷色に基づいて、セルに入力されているキャラクタの文字色が変更される。したがって、ユーザはセルに入力されているキャラクタの文字色を参照することで、プリンタ２で実際に使用されるキャラクタの印刷色を認識できる。また、本体情報が示すテープ色に基づいて、セルの背景色が変更される。したがって、ユーザはセルの背景色を参照することで、プリンタ２で実際に使用されるテープ色を認識できる。
【００３８】
ＰＣ３では、本体情報が示すテープサイズに基づいてセルの表示サイズが変更されるため、ユーザはセルの表示サイズを参照することで、プリンタ２におけるセルの印刷サイズを認識できる。また、本体情報が示すテープサイズに基づいてキャラクタの表示サイズが変更されるため、ユーザはキャラクタの表示サイズを参照することで、プリンタ２におけるキャラクタの印刷サイズを認識できる。
【００３９】
上記実施形態において、ＰＣ３が本発明の「印刷制御装置」に相当する。プリンタ２が本発明の「印刷装置」に相当する。ＨＤＤ３２が、本発明の「ファイル記憶手段」に相当する。ステップＳ５を実行するＣＰＵ３１が、本発明の「本体情報取得手段」に相当する。ステップＳ１１〜Ｓ１９、Ｓ２３、Ｓ２７の少なくとも一つを実行するＣＰＵ３１が、本発明の「表示態様変更手段」に相当する。ステップＳ５が、本発明の「本体情報取得ステップ」に相当する。ステップＳ１１〜Ｓ１９、Ｓ２３、Ｓ２７の少なくとも一つが、本発明の「表示態様変更ステップ」に相当する。
【００４０】
本発明は上記実施形態に限定されるものではなく、発明の要旨を変更しない範囲での変更が可能である。上記実施形態の印刷システム１ではプリンタ２とＰＣ３とが接続されているが、プリンタ２から本体情報を取得した後は、プリンタ２とＰＣ３との接続が解除されてもよい。この場合、ＰＣ３はプリンタ２と非接続状態でドライバ処理（図４）を実行すればよい。また、プリンタ２にあらかじめプリンタ２の本体情報が記憶されている場合は、ＰＣ３はプリンタ２と非接続状態でドライバ処理（図４）を実行すればよい。
【００４１】
上記実施形態では、プリンタドライバに基づいてＣＰＵ３１がドライバ処理（図４）を実行しているが、他のプログラムに基づいて実行してもよい。また、プリンタドライバに基づいて実行する場合、印刷の実行時以外のタイミングでドライバ処理（図４）を実行してもよい。ドライバ処理（図４）は、ＣＰＵ以外の電子部品（例えば、ＡＳＩＣ）によって実行されてもよい。ドライバ処理（図４）は、複数の電子機器（つまり、複数のＣＰＵ）によって分散処理されてもよい。例えば、ドライバ処理（図４）の一部は、ＰＣ３に接続されているサーバやプリンタ２で実行されてもよい。
【符号の説明】
【００４２】
１    印刷システム
２    プリンタ
３    ＰＣ
３１    ＣＰＵ
３２    ＨＤＤ
１００    ファイル
１４０    印刷色サンプル
１５０    テープ色サンプル
【図１】
2014026505.tif 000003
【図２】
2014026505.tif 000004
【図３】
2014026505.tif 000005
【図４】
2014026505.tif 000006
【図５】
2014026505.tif 000007
【図６】
2014026505.tif 000008
【図７】
2014026505.tif 000009
【図８】
2014026505.tif 000010
【図９】
2014026505.tif 000011
【図１０】
2014026505.tif 000012
【図１１】
2014026505.tif 000013